(57)【要約】【課題】特定の光源から発せられた光を、その光量を減衰させることなく、複数の段差状円形体に照射し、段差状円形体毎に種々の角度に光を効率良く拡散させて、十分な明るさ、輝き、眩しさを備えた照明装置を提供する。【解決手段】本発明に係る照明装置は、光源１と、光源１を覆う筒体２とから成り、筒体２の内部に、２個の段差状円形体５と、透光用の孔７が存在しない段差状円形体５０を直列方向に配置している。また、筒体２の内部に配置した複数の段差状円形体５と、透光用の孔７が存在しない段差状円形体５０に、着色を施している。さらに、筒体２の内部に配置した段差状円形体５の各段差部５Ａ毎、また、透光用の孔７が存在しない段差状円形体５０の各段差部５０Ａ毎に、それぞれ異なる着色を施している。【選択図】          図１
2005038650.tif 000002
【特許請求の範囲】
【請求項１】
光源と、光源を覆う筒体とから成り、筒体の内部に、透明な段差状円形体を備え、少なくとも一つの段差状円形体の中央部に、透光用の孔を設けていることを特徴とする照明装置。
【請求項２】
筒体の周面に、複数のリング状突部を設けた請求項１に記載の照明装置。
【請求項３】
筒体の内部に配置した段差状円形体は、裏側が円錐状にくり抜かれている請求項１または２に記載の照明装置。
【請求項４】
筒体は、内部に複数の段差状円形体を直列方向に配置している請求項１乃至３のいずれかに記載の照明装置。
【請求項５】
筒体は、透光用の孔が存在しない段差状円形体を備えている請求項１乃至４のいずれかに記載の照明装置。
【請求項６】
筒体は、内部に２個の段差状円形体と、透光用の孔が存在しない段差状円形体を直列方向に配置している請求項１乃至５のいずれかに記載の照明装置。
【請求項７】
筒体の内部に配置した複数の段差状円形体と、透光用の孔が存在しない段差状円形体に、着色を施した請求項１乃至６のいずれかに記載の照明装置。
【請求項８】
光源と、光源を覆う筒体とから成り、筒体の内部に、透光用の孔が存在しない段差状円形体を備え、この段差状円形体に、着色を施したことを特徴とする照明装置。
【請求項９】
筒体の内部に配置した段差状円形体の各段差部毎、また、透光用の孔が存在しない段差状円形体の各段差部毎に、それぞれ異なる着色を施した請求項１乃至８のいずれかに記載の照明装置。
【請求項１０】
筒体を覆うカバー体を備え、カバー体は、周面に複数の縦長状突部を設けている請求項１乃至９のいずれかに記載の照明装置。
【請求項１１】
縦長状突部は、上方から下方へ行くに従い、その高さを次第に低くし、また、幅を次第に狭くしている請求項１０に記載の照明装置。
【請求項１２】
光源は、発光ダイオード（ＬＥＤ）である請求項１乃至１１のいずれかに記載の照明装置。
【請求項１３】
光源は、周囲が暗い場合にのみ発光を可能とする光センサーを備えている請求項１乃至１２のいずれかに記載の照明装置。
【発明の詳細な説明】
【０００１】
【発明の属する技術分野】
本発明は、特定の光源から発せられた光を、その光量を減衰させることなく、垂直方向・水平方向における種々の角度に拡散させる照明装置に関するものである。
【０００２】
【従来技術】
従来におけるこの種の照明装置としては、例えば、実開昭６０−１３７５７号公報に開示されているように、発光ダイオードを複数個列設してなるランプ基台を、上面の断面が略逆円錐状の透光性キャップにて閉蓋してなる発光ダイオードランプを構成し、発光ダイオードからの光を、透光性キャップの上面の逆円錐状部の表面により、その大部分をランプ側面方向に反射させるようにしたものがある。
【０００３】
【特許文献１】
実開昭６０−１３７５７号公報
【０００４】
【発明が解決しようとする課題】
しかしながら、このような従来における照明装置では、発光ダイオードからの光を、透光性キャップの上面の逆円錐状部の表面において反射させ、その大部分をランプ側面方向に直進させるだけであるので、反射した光が弱いものとなって十分な明るさを確保できないという弊害が生じていた。
【０００５】
そこで、本発明は叙上のような従来存した諸事情に鑑み創出されたもので、特定の光源から発せられた光を、その光量を減衰させることなく、複数の段差状円形体に照射し、段差状円形体毎に種々の角度に光を効率良く拡散させて、十分な明るさ、輝き、眩しさを備えた照明装置を提供することを目的とする。
【０００６】
【課題を解決するための手段】
本発明に係る照明装置は、光源と、光源を覆う筒体とから成り、筒体の内部に、透明な段差状円形体を備え、少なくとも一つの段差状円形体の中央部に、透光用の孔を設けていることで、上述した課題を解決した。
【０００７】
また、筒体の周面に、複数のリング状突部を設けたことで、同じく上述した課題を解決した。
【０００８】
さらに、筒体の内部に配置した段差状円形体は、裏側が円錐状にくり抜かれていることで、同じく上述した課題を解決した。
【０００９】
また、筒体は、内部に複数の段差状円形体を直列方向に配置していることで、同じく上述した課題を解決した。
【００１０】
加えて、筒体は、透光用の孔が存在しない段差状円形体を備えていることで、同じく上述した課題を解決した。
【００１１】
また、筒体は、内部に２個の段差状円形体と、透光用の孔が存在しない段差状円形体を直列方向に配置していることで、同じく上述した課題を解決した。
【００１２】
この他、筒体の内部に配置した複数の段差状円形体と、透光用の孔が存在しない段差状円形体に、着色を施したことで、同じく上述した課題を解決した。
【００１３】
また、光源と、光源を覆う筒体とから成り、筒体の内部に、透光用の孔が存在しない段差状円形体を備え、この段差状円形体に、着色を施したことで、同じく上述した課題を解決した。
【００１４】
さらに、筒体の内部に配置した段差状円形体の各段差部毎、また、透光用の孔が存在しない段差状円形体の各段差部毎に、それぞれ異なる着色を施したことで、同じく上述した課題を解決した。
【００１５】
また、筒体を覆うカバー体を備え、カバー体は、周面に複数の縦長状突部を設けていることで、同じく上述した課題を解決した。
【００１６】
加えて、縦長状突部は、上方から下方へ行くに従い、その高さを次第に低くし、また、幅を次第に狭くしていることで、同じく上述した課題を解決した。
【００１７】
また、光源は、発光ダイオード（ＬＥＤ）であることで、同じく上述した課題を解決した。
【００１８】
この他、光源は、周囲が暗い場合にのみ発光を可能とする光センサーを備えていることで、同じく上述した課題を解決した。
【００１９】
以上のように構成された本発明に係る照明装置において、段差状円形体により、光源から発せられた直進性の光の一部が屈折し、段差状円形体の側方周囲に向けて光が拡散する。また、段差状円形体の中央部に設けた透光用の孔を通過した光は、その明るさ等の光量が減衰することなく、下方に配置している他の段差状円形体に照射される。さらに、筒体のリング状突部により、筒体の側方周囲に向けて、光が垂直方向に拡散する。
【００２０】
一方、筒体を透過した光は、カバー体の周面に設けた縦長状突部により、カバー体の側方周囲に向けて光が水平方向に拡散する。これによって、光照射幅が広くなるため、見かけ上、光源が拡大したような状態に見える。
【００２１】
【発明の実施の形態】
以下に、図面を参照して本発明の一実施の形態を説明する。発明に係る照明装置は、図１に示すように、光源１と、光源１を覆う筒体２と、筒体２を覆うカバー体３とから成る。
【００２２】
筒体２は、図２に示すように、周面に複数のリング状突部４を設けている。また、筒体２の内部に、複数の段差状円形体５・５０を備えている。この複数の段差状円形体５・５０は、筒体２の内部において直列方向に配置されている。さらに、照明装置は、図１に示すように、筒体２の下方に、円錐状反射体６を備えている。
【００２３】
筒体２の内部に配置する段差状円形体５・５０は、中央部に透光用の孔７を設けたもの（５）と、このような孔７が存在しないもの（５０）とがある。そして、図２・図３に示すように、筒体２の内部において、透光用の孔７を設けた２個の段差状円形体５と、透光用の孔７が存在しない段差状円形体５０を直列方向に配置している。
【００２４】
これらの段差状円形体５・５０は、図２に示すように、小円・中円・大円…というように円形部分が積み重なって、略９０度の段差部５Ａ・５０Ａを複数備えている。これらの段差状円形体５・５０は、裏側が円錐状にくり抜かれている。また、段差状円形体５・５０は、最小円部分が光源１を向くように、筒体２の内部に固定されている。そして、段差状円形体５の孔７は、最小円部分の中央部に設けられている。これらの段差状円形体５・５０は、透明に形成され、光源１からの光を透過させると共に、光を屈折させて、段差状円形体５・５０の側方周囲に向けて光を拡散させている。
【００２５】
一方、段差状円形体５・５０に、同一色の着色を施しても良い。また、段差状円形体５・５０に、例えば、赤、青、緑等の異なる色の着色を施しても良い。この他、段差状円形体５・５０の各段差部５Ａ・５０Ａ毎に、例えば、赤、青、緑、黄、紫等の着色を施しても良い。
【００２６】
筒体２を覆うカバー体３は、図５に示すように、内周面に複数の縦長状突部８を設けている。筒体２とカバー体３は、透光性を備えた透明な材質であり、例えば、アクリル材等を用いて形成されている。尚、筒体２とカバー体３に、同一色や異なる色の着色を施しても良い。
【００２７】
筒体２のリング状突部４は、図１・図２に示すように、筒体２の外周面において、断面が略楔形となるように形成されており、光源１が発する光を屈折させながら透過させ、光を垂直方向に拡散させている。このリング状突部４は、図１に示すように、筒体２の外周面から外側に向けて水平に延設された水平部分９と、水平部分９の先端から筒体２の外周面に向けて下方に延設された斜め下方部分１０とから成る。また、筒体２は、図２に示すように、所定の間隔をおいてフラット部分１１を備えている。尚、リング状突部４は、筒体２の外周面から外側に向けて水平に延設された水平部分と、水平部分の先端から筒体２の外周面に向けて上方に延設された斜め上方部分とから成るものであっても良い。また、これら２種類のリング状突部４を組み合わせても良い。
【００２８】
この他、円錐状反射体６は、図１に示すように、段差状円形体５・５０を備えた筒体２の下方（光源１から遠ざかる方向）に配置されている。また、円錐状反射体６は、円錐の頂点６Ａが光源１を向くように、筒体２の下方に配置されている。さらに、円錐状反射体６の円錐面６Ｂには、例えば、金属の蒸着や塗布等による反射膜を形成している。よって、段差状円形体５・５０を透過した光を円錐状反射体６の円錐面６Ｂにより反射し、円錐状反射体６の側方のあらゆる角度に光が拡散する。
【００２９】
また、筒体２は、その基端部に板状の脚部１２を設けてあり、この脚部１２をネジ止めする等して、光源１を覆うように固定されている。さらに、段差状円形体５・５０を備えている筒体２の内周面に、複数の直線状突部を縦方向に設けても良い。
【００３０】
一方、筒体２を覆うカバー体３は、図５に示すように、内周面に複数の縦長状突部８を設けている。この縦長状突部８は、カバー体３の内周面において、縦方向に設けられている。また、縦長状突部８は、略三角形状に形成され、三角形の頂点８Ａがカバー体３の内側を向くように配置されている。さらに、縦長状突部８は、上方から下方へ行くに従い、三角形の頂点８Ａの高さを次第に低くし、また、三角形の幅を次第に狭くするように形成されている。加えて、縦長状突部８は、カバー体３の内周面の形状に合わせて若干湾曲している。この縦長状突部８は、筒体２を透過して垂直方向に拡散された光を、さらに透過させて水平方向に拡散させている。
【００３１】
また、図１に示すように、カバー体３の先端部（円錐状反射体６の裏面）には、所定の深さにえぐれた接合穴１４を設けている。そして、図１・図７に示すように、カバー体３の接合穴１４に、筒状に形成された立設脚１５の基端部１３を嵌め込んでいる。この立設脚１５は、先端部に剣状板材を十文字に交差させて成る尖鋭部１６を備えている。そして、カバー体３の接合穴１４に立設脚１５の基端部１３を嵌め込み、立設脚１５の尖鋭部１６を地面等に突き刺すことで、照明装置を所定の高さに設置している。
【００３２】
光源１部分の具体的な構成としては、例えば、図１に示すように、ソーラーパネル１７によって充電可能である電池１８に接続しているソケット１９に、発光ダイオード（ＬＥＤ）を取り付けている。また、発光ダイオード（ＬＥＤ）の点灯・消灯を制御するための回路基盤を備えている。さらに、光源１部分は、周囲が暗い場合にのみ発光を可能とするように、所定の光センサーを備えている。こうしてソーラーパネル１７によって電池１８に電力エネルギーを充電することで、一般的な有料の電力を使うことなく、光源１を発光させることができる。尚、光源１は、発光ダイオード（ＬＥＤ）に限定されることはなく、光を発することができれば、どのような構成のものであっても差し支えない。また、ソーラーパネル１７による電力エネルギーを用いて光源１を発光させるものに限定されることはなく、一般的な有料の電力等を使うものであっても良い。
【００３３】
次に、光源１から発せられた光の進行について詳述する。まず、図３・図４に示すように、上段に位置する透明な段差状円形体５により、光源１から発せられた直進性の光の一部が屈折し、段差状円形体５の側方周囲に向けて光が拡散する。また、図３に示すように、上段に位置する段差状円形体５の透光用の孔７を透過した光は、中段に位置する透明な段差状円形体５により、直進性の光の一部が屈折し、段差状円形体５の側方周囲に向けて光が拡散する。さらに、中段に位置する段差状円形体５の透光用の孔７を透過した光は、下段に位置する透明な段差状円形体５０により、直進性の光の一部が屈折し、段差状円形体５の側方周囲に向けて光が拡散する。このとき、上段・中段に位置する段差状円形体５の透光用の孔７を透過した光は、その明るさ等の光量が減衰することはない。加えて、下段に位置する透光用の孔７が存在しない段差状円形体５０を透過した光は、円錐状反射体６により、円錐状反射体６の側方周囲におけるあらゆる角度に光が拡散する。そして、筒体２のリング状突部４（９・１０）により、筒体２の側方周囲に向けて、光が垂直方向に拡散する。
【００３４】
一方、筒体２を透過した光は、カバー体３の内周面に設けた略三角形状の縦長状突部８により、図６（ａ）・（ｂ）に示すように、カバー体３の側方周囲に向けて光が水平方向に拡散する。これによって、光照射幅が広くなるため、見かけ上、光源１が拡大したような状態に見える。
【００３５】
尚、図５に示すカバー体３の縦長状突部８は、カバー体３の内周面に設けられているが、これに限定されることはなく、カバー体３の外周面に縦長状突部８を設けても良い。また、図５に示す縦長状突部８は、略三角形状に形成されているが、これに限定されることはなく、例えば、半円形・楕円形・台形・四角形等のどのような形状であっても良い。さらに、縦長状突部８の全体の高さを、同じにしても良い。
【００３６】
【発明の効果】
以上のように構成された本発明に係る照明装置において、光源１から発せられた光が段差状円形体５の孔７を透過するに際し、光の明るさ等の光量が減衰することは全くなく、下方に配置している他の段差状円形体５に対し、十分な光量の光を照射できる。その結果、光源１から発せられた光が、直列方向に配置した複数の段差状円形体５に、光の明るさ等の光量が減衰することなく照射され、それぞれの段差状円形体５が垂直方向・水平方向における種々の角度に光を効率良く拡散させて、照明装置として十分な明るさ、輝き、眩しさを備えることができる。
【００３７】
また、透光用の孔７を備えた段差状円形体５と、透光用の孔７が存在しない段差状円形体５０を種々組み合わせることで、照明装置として、面白味のある明るさ、輝き、眩しさを備えることができる。
【００３８】
さらに、透光用の孔７を備えた複数の段差状円形体５と、透光用の孔７が存在しない段差状円形体５０に、着色を施したときは、照明装置として、奇麗で、面白味のある明るさ、輝き、眩しさを備えることができる。特に、段差状円形体５・５０に異なる色の着色を施したときは、それぞれの段差状円形体５・５０に照射されて拡散した光が互いに干渉し合い、見る角度によって色合いが異なったり、複雑な色合いが光に生じて、面白味のある照明装置を提供できる。
【００３９】
加えて、透光用の孔７を備えた段差状円形体５の各段差部５Ａ毎、また、透光用の孔７が存在しない段差状円形体５０の各段差部５０Ａ毎に、それぞれ異なる着色を施したときも、照明装置として、奇麗で、面白味のある明るさ、輝き、眩しさを備えることができる。
【００４０】
この他、筒体２に設けた複数のリング状突部４により、筒体２の側方周囲に向けて、光が垂直方向に拡散する。
【００４１】
また、筒体２を透過した光は、カバー体３の周面に設けた複数の縦長状突部８により、カバー体３の側方周囲に向けて光が水平方向に拡散する。これによって、光照射幅が広くなるため、見かけ上、光源１が拡大したような状態に見える。
【００４２】
このように、特定の光源１から発せられた光を、垂直方向・水平方向における種々の角度に拡散させることで、照明装置として十分な明るさを確保することができる。
【００４３】
さらに、光源１は、発光ダイオード（ＬＥＤ）であるので、直進性を備えた光を、垂直方向・水平方向に拡散させ、これにより光量の減衰を防ぐことができる。
【００４４】
加えて、光源１は、周囲が暗い場合にのみ発光を可能とする光センサーを備えているので、必要なときだけ光源１を点灯させて、消費電力の無駄を省いている。
【図面の簡単な説明】
【図１】本発明に係る照明装置の使用状態を示した一部拡大の断面図である。
【図２】複数の段差状円形体を備えた筒体の構成を示した一部切欠の斜視図である。
【図３】光源から発せられた光が複数の段差状円形体に照射されたときの光の進行例を示した説明図である。
【図４】光源から発せられた光が段差状円形体に照射されたときの光の進行例を示した説明図である。
【図５】カバー体が備えている縦長状突部の構成を示した概略斜視図である。
【図６】カバー体における光の進行例を示したもので、（ａ）は縦長状突部により屈折した光の透過状態を示した説明図、（ｂ）は縦長状突部により反射した光の透過状態を示した説明図である。
【図７】カバー体の接合穴に、立設脚の基端部を嵌め込む状態を示した分解斜視図である。
【符号の説明】
１…光源                          ２…筒体
３…カバー体                      ４…リング状突部
５…段差状円形体                ５Ａ…段差部
５０…段差状円形体              ５０Ａ…段差部
６…円錐状反射体                ６Ａ…頂点
６Ｂ…円錐面                        ７…孔
８…縦長状突部                  ８Ａ…頂点
９…水平部分                    １０…斜め下方部分
１１…フラット部分                １２…脚部
１３…基端部                      １４…接合穴
１５…立設脚                      １６…尖鋭部
１７…ソーラーパネル              １８…電池
１９…ソケット
【図１】
2005038650.tif 000003
【図２】
2005038650.tif 000004
【図３】
2005038650.tif 000005
【図４】
2005038650.tif 000006
【図５】
2005038650.tif 000007
【図６】
2005038650.tif 000008
【図７】
2005038650.tif 000009